(57)【要約】【課題】安価で簡便に調達できる濾過材を使い、簡単な構成で濾過効率、濾過速度の高い汎用性のある装置、種々の汚染土壌を効率よく洗浄可能なシステムを提供する。【解決手段】上端を泥水の入口とし該上端近傍の周面に複数の孔ｈが設けられ底面が底板４４により塞がれた内円筒４２と、底面の底板４５に泥水の出口とする複数の孔ｈが設けられた外円筒４１と、外円筒４１の上端において内円筒４２の外周との間を塞ぐ上蓋４３と、内円筒４２の外周と外円筒４１の内周との間に充填された濾過材とを有し、濾過材として、複数の麻布片または短かく切断された麻糸片と紙粉との混合物を充填し、粘土やそれより大きいシルトを含む泥水を濾過する。【選択図】  図２
0003181224.tif 000002
【実用新案登録請求の範囲】
【請求項１】
上端を泥水の入口とし該上端近傍の周面に複数の孔が設けられ底面が塞がれた内円筒と、底面に泥水の出口とする複数の孔が設けられた外円筒と、前記外円筒の上端において前記内円筒の外周との間を塞ぐ上蓋と、前記内円筒の外周と前記外円筒の内周との間に充填された濾過材とを有し、前記濾過材として、複数の麻布片または短かく切断された麻糸片と紙粉との混合物を充填したことを特徴とする泥水濾過装置。
【請求項２】
上端を泥水の入口とし該上端近傍の周面に複数の孔が設けられ底面が塞がれた第１の内円筒と、底面に泥水の出口とする複数の孔が設けられた第１の外円筒と、前記第１の外円筒の上端において前記第１の内円筒の外周との間を塞ぐ第１の上蓋と、前記第１の内円筒の外周と前記第１の外円筒の内周との間に充填された第１の濾過材とを有する第１段の濾過ユニット、および前記第１段の濾過ユニットに連結され、上端を泥水の入口とし該上端近傍の周面に複数の孔が設けられ底面が塞がれた第２の内円筒と、底面に泥水の出口とする複数の孔が設けられた第２の外円筒と、前記第２の外円筒の上端において前記第２の内円筒の外周との間を塞ぐ第２の上蓋と、前記第２の内円筒の外周と前記第２の外円筒の内周との間に充填された第２の濾過材とを有する第２段の濾過ユニットを備え、前記第１の濾過材は、複数の麻布片からなり、前記第２の濾過材は、短かく切断された麻糸片と紙粉との混合物からなることを特徴とする泥水濾過装置。
【請求項３】
前記第２の濾過材は、新聞紙を煮込んで乾燥した紙粉を用いることを特徴とする請求項２に記載の泥水濾過装置。
【請求項４】
前記第２の濾過材は、紙粉３に対して麻糸片１の重量比で混合したものであることを特徴とする請求項２ないし３のいずれかに記載の泥水濾過装置。
【請求項５】
土壌に洗浄水を給水して混合攪拌する攪拌洗浄槽、前記攪拌洗浄槽に連結され攪拌された土壌混合水よりメッシュを用いて泥水を分離して取り出すメッシュ分離槽、および前記分離槽に連結され請求項２ないし４のいずれかに記載の泥水濾過装置を備え、汚染土壌を洗浄水と混合攪拌して除染する土壌除染処理システム。
【請求項６】
前記メッシュ分離槽は、１０４メッシュを用いた分離槽と２００メッシュを用いた分離槽を連結したものであることを特徴とする請求項５に記載の土壌除染処理システム。
【考案の詳細な説明】
【技術分野】
【０００１】
本考案は、粘土質やシルト質などの微粒分を含む泥水を濾過する泥水濾過装置およびその泥水濾過装置を用いて放射性物質等により汚染された汚染土壌等の洗浄を行う土壌洗浄処理システムに関する。
【背景技術】
【０００２】
泥水や濁水の処理において固液分離を行う技術には、その対象、目的により様々なものがある。加圧シールド工法では、粒子の小さい土砂、コンクリート粉末などのスラッジを含む濁水、泥水が使用される。従来提案されている技術には、このような加圧シールド工法、地中連続壁工法、場所打ち杭工法等の工事中に排出される泥水、汚濁水域や貯水槽の内底部に堆積した沈殿物などを固液分離処理する固液分離装置（例えば、特許文献１参照）や、ＤＸＮ類（ダイオキシン類）などの有害物質を含有する汚染処理対象物を処理する処理設備（例えば、特許文献２参照）などがある。
【０００３】
これらのうち、固液分離装置は、有底円筒体からなる立壁面の内側に濾過膜を収納したフィルタを水槽内に配置し、フィルタ内側をフィルタ外部に対し密閉可能にされた内部空間にして、調整水を加圧供給するものである。濾過膜は、多数の透孔を配した多孔板或いは網目板によって形成されたものが用いられる。この濾過膜では、まず比較的粒子径の大きな砂・土などの分離物から捕獲される。その後、砂・土などの分離物に粒子径の小さなシルト・粘土などの分離物が付着して堆積される。これら分離物は、濾過膜においてマッドフィルム（泥膜）を形成して分離物の粒子間で目詰まり効果を発揮することで、フィルタ内部を密閉昇圧して加圧効果をもたらすようにしている。
【０００４】
また、汚染処理対象物の処理設備は、焼却施設の解体用地内に設置され、洗浄ノズルによる洗浄で発生するＤＸＮ類などを含む汚染水を、フィルタープレスによるマッドラップ工法を用いて急速脱水・減容固化処理し、ＤＸＮ類などを脱水ケーキ内に閉じ込めるものである。汚染水にはＢ泥混合槽でセメントや石灰などの処理材Ｂに泥土材を添加して、Ｂ泥スラリーを作製する。また、Ａ泥混合槽で泥土材に処理材Ａを添加してＡ泥スラリーを作製する。そして、まず、打込みポンプでフィルタープレス内の濾室内にＡ泥スラリーを打込み、次いでＢ泥スラリーを打込むことにより、脱水ケーキ（Ａ泥及びＢ泥）と濾水に固液分離を行っている。
【０００５】
２０１１年３月１１日の東日本大震災を端緒として発生した東京電力福島第１原子力発電所の事故は、放射性物質を東北地方から関東地方、さらに広域に拡散させた。その結果、広範な地域において、放射性物質により地表や建造物、植物、津波による瓦礫、さらには河川水などが汚染されることになり、その除染が大きな問題となった。
【０００６】
放射性物質により汚染され高い放射線量が計測された地表では、数ｃｍの厚さで土壌を剥ぎ取ることにより、かなり放射線量が低下して除染効果のあることが確認されている。しかし、例えば放射性物質セシウム１３７の半減期は３０年と長く、剥ぎ取った放射線量の異常に高い汚染土壌が生活に支障のない放射線量に減衰するまでは非常に長い年月を要する。そのため、剥ぎ取った汚染土壌の保管、処分が問題となる。
【０００７】
地表や建造物等に堆積した放射性物質は、また、建物の屋根や壁面を洗い流しても、それが降雨とともに河川や下水に流れ込み、河川水や下水が汚染される。そのため、排水処理場等から放射性物質により汚染された汚泥が排出され、このような放射性物質により汚染された汚泥の処分も問題となる。
【０００８】
また、稲作地域では、山からの水が水田に引かれるが、汚染された山間部の土壌から放射性物質が流れ込んだ水を水田に引くことになると、結果的にその収穫された米が放射性物質により汚染されるという問題も生じる。
【０００９】
放射性物質により汚染された廃液から放射性物質を除去するものとして、例えば放射性廃液を減圧蒸留して残渣と蒸留液とに分留し、残渣に放射性物質を含有させることにより除去する方法及び装置が提案されている（例えば、特許文献３参照）。
【００１０】
また、放射性汚染水を処理するものとして、イオン交換樹脂を収容する処理槽に放射性汚染水を循環させ、放射性核種を含むイオン性汚染物質を効率よく除去できるようにした処理装置及び方法が提案されている（例えば、特許文献４参照）。
【先行技術文献】
【特許文献】
【００１１】
【特許文献１】特開２００２−１９１９１０号公報
【特許文献２】特開２００４―２７６０１９号公報
【特許文献３】特開２００４−２３３３０７号公報
【特許文献４】特開２００９―２４４０８９号公報
【考案の概要】
【考案が解決しようとする課題】
【００１２】
しかし、上記従来の固液分離装置は、まず大粒径のものから立壁面に付着させ、その後に小粒径のものをその大粒径のものに重なるように付着させるものであるため、初期の段階の濾過効率が悪いという問題がある。
【００１３】
また、汚染処理対象物の処理設備は、処理材Ａ、Ｂ、泥土材を用いてＡ泥スラリーやＢスラリーを作製し、それらをフィルタープレスに打込み脱水ケーキ（Ａ泥及びＢ泥）と濾水に固液分離するため、設備構成が複雑であり、設備が高価なものになってしまうなどの問題がある。
【００１４】
放射性物質により汚染された廃液から放射性物質を除去するものは、放射性廃液を減圧蒸留して残渣と蒸留液とに分留するもので、放射性汚染水を処理するものは、イオン交換樹脂という特殊な樹脂を処理槽に収容するものであり、いずれも汎用性に問題がある。
【００１５】
特に、今回の東日本大震災を端緒として発生した原子力発電所の事故では、放射性物質により汚染された処理物がさまざまな形態で排出された。これらの中でも、除染のために剥ぎ取った土壌（土砂）、汚泥や瓦礫の焼却灰の量は膨大であり、その処分のための廃棄場所としての仮置き場や恒久的な留置場所の確保が困難な状況にある。
【課題を解決するための手段】
【００１６】
本考案は、上記の課題を解決するものであって、安価で簡便に調達できる濾過材を使い、簡単な構成で濾過効率、濾過速度の高い汎用性のある泥水濾過装置を提供するとともに、この泥水濾過装置を利用して種々の汚染土壌を効率よく洗浄することができる土壌洗浄処理システムを提供するものである。
【００１７】
そのために本考案に係る泥水濾過装置は、上端を泥水の入口とし該上端近傍の周面に複数の孔が設けられ底面が塞がれた内円筒と、底面に泥水の出口とする複数の孔が設けられた外円筒と、前記外円筒の上端において前記内円筒の外周との間を塞ぐ上蓋と、前記内円筒の外周と前記外円筒の内周との間に充填された濾過材とを有し、前記濾過材として、複
数の麻布片または短かく切断された麻糸片と紙粉との混合物を充填したことを特徴とする。
【００１８】
また、本考案に係る泥水濾過装置は、上端を泥水の入口とし該上端近傍の周面に複数の孔が設けられ底面が塞がれた第１の内円筒と、底面に泥水の出口とする複数の孔が設けられた第１の外円筒と、前記第１の外円筒の上端において前記第１の内円筒の外周との間を塞ぐ第１の上蓋と、前記第１の内円筒の外周と前記第１の外円筒の内周との間に充填された第１の濾過材とを有する第１段の濾過ユニット、および前記第１段の濾過ユニットに連結され、上端を泥水の入口とし該上端近傍の周面に複数の孔が設けられ底面が塞がれた第２の内円筒と、底面に泥水の出口とする複数の孔が設けられた第２の外円筒と、前記第２の外円筒の上端において前記第２の内円筒の外周との間を塞ぐ第２の上蓋と、前記第２の内円筒の外周と前記第２の外円筒の内周との間に充填された第２の濾過材とを有する第２段の濾過ユニットを備え、前記第１の濾過材は、複数の麻布片からなり、前記第２の濾過材は、短かく切断された麻糸片と紙粉との混合物からなることを特徴とする。
【００１９】
前記第２の濾過材は、新聞紙を煮込んで乾燥した紙粉を用いることを特徴とし、前記第２の濾過材は、紙粉３に対して麻糸片１の重量比で混合したものであることを特徴とする。
【００２０】
また、土壌除染処理システムは、土壌に洗浄水を給水して混合攪拌する攪拌洗浄槽、前記攪拌洗浄槽に連結され攪拌された土壌混合水よりメッシュを用いて泥水を分離して取り出すメッシュ分離槽、および前記分離槽に連結された前記泥水濾過装置を備え、汚染土壌を洗浄水と混合攪拌して除染し、前記メッシュ分離槽は、１０４メッシュを用いた分離槽と２００メッシュを用いた分離槽を連結したものであることを特徴とする。
【考案の効果】
【００２１】
本考案によれば、濾過ユニットにおいて、円筒状の軸方向の上方から下方へ、長い濾過経路と大きい濾過容量（容積）を確保することができる。そして、第１段の濾過ユニットでは、麻布片を濾過材として充填するので、泥水に含まれた微粒分のうち比較的大きめの成分を目詰まりを低減し、濾過速度を落とすことなく効率よく捕捉することができる。したがって、捕捉効率（濾過効率）を高めることができる。さらに、第２段の濾過ユニットでは、紙粉と麻糸片を混合し濾過材として充填するので、泥水に含まれた微粒分の粘土も効率よく捕捉することができる。
【００２２】
濾過材が紙粉だけの場合には、目詰まりが生じて濾過速度が著しく低下してしまうが、紙粉に麻糸を混合することにより、それぞれのさらに細い繊維成分に微粒分が絡み付き吸着して捕捉を良好にし、濾過速度の低下を軽減するとともに微粒分の高い捕捉効率（濾過効率）を実現することができる。
【００２３】
したがって、安価で簡便に調達できる濾過材を活用した、簡単な構成で濾過効率、濾過速度の高い汎用性のある泥水濾過装置を提供することができ、この泥水濾過装置を利用することにより種々の汚染土壌を効率よく洗浄可能な土壌洗浄処理システムを提供することができる。
【図面の簡単な説明】
【００２４】
【図１】本考案に係る土壌洗浄処理システムの実施の形態を説明する図である。
【図２】濾過ユニットの実施の形態を説明する図である。
【図３】本考案に係る土壌洗浄処理システムの処理の流れを示す図である。
【考案を実施するための形態】
【００２５】
以下、図面を参照しつつ本考案の実施の形態を説明する。図１は本考案に係る土壌洗浄処理システムの実施の形態を説明する図、図２は濾過ユニットの実施の形態を説明する図であり、図２において、（Ａ）は上面図、（Ｂ）は正面図、（Ｃ）は底面図、（Ｄ）はＡ−Ａ断面図を示す。図中、１は攪拌洗浄槽、２と２′はメッシュ分離槽、３と５は加圧ポンプ、４は麻布濾過ユニット、６は紙粉麻糸濾過ユニット、１１は攪拌機、１２は土砂層、１３は泥水層、２１と２１′はメッシュ、２２と２２′は分離層、４１は外円筒、４２は内円筒、４３は上蓋、４４は内円筒底板、４５は外円筒底板、ｈは孔を示す。
【００２６】
本考案に係る土壌洗浄処理システムは、図１の実施の形態に示すように被洗浄土壌に洗浄水を注入して攪拌する攪拌洗浄槽１、攪拌洗浄槽１から泥水を取り出し、メッシュを通して泥水に混じり込んだ砂や礫などを分離するメッシュ分離槽２、２′、メッシュ分離槽２′から砂や礫などを分離した泥水を取り出し、取り出された泥水から粘土やシルトなどを含む微粒分を濾過する第１段の濾過ユニットと第２段の濾過ユニットを有する泥水濾過装置からなる。
【００２７】
攪拌洗浄槽１では、被洗浄土壌に洗浄水を注入して攪拌しても、重い石や礫は浮遊することなく底に沈んだまま洗浄され、汚染物質が微粒分に付着、吸着して重い石や礫の沈着層の上に一部細かな砂や礫などとともに浮遊し泥水を形成する。
【００２８】
１段目のメッシュ分離槽２は、１０４メッシュ（１５４μｍ篩目）をスクリーン２１とし、２段目のメッシュ分離槽２′は、さらに細かい目の２００メッシュ（８７μｍ篩目）をスクリーン２１′とすることにより、泥水に混じり込んだ細かい砂や礫を大きいものから順次分離する。
【００２９】
泥水濾過装置の第１段の濾過ユニットは、麻布片を用いて微粒分を分離し濾過する麻布濾過ユニット４である。第２段の濾過ユニットは、麻布濾過ユニット４で分離されずに取り出された粘土やシルトなどを含む微粒分を紙粉と麻糸片により分離し濾過する紙粉麻糸濾過ユニット６である。麻布濾過ユニット４及び紙粉麻糸濾過ユニット６の前段には、濾過速度、濾過効率を上げるため泥水を加圧送水する加圧ポンプ３、５が配置される。
【００３０】
さらに、本実施の形態について詳述する。図１において、攪拌洗浄槽１は、被洗浄土壌である汚染土壌と洗浄水を攪拌、混合するための攪拌機１１を備え、被洗浄土壌と洗浄水が注入され、攪拌機１１により攪拌される。攪拌機１１は、スクリュウや攪拌羽根、攪拌棒などにより構成される。
【００３１】
攪拌洗浄槽１では、被洗浄土壌が攪拌されると、重い石や礫は底に沈んだまま攪拌により洗浄され、土壌の中の各種汚染物質が粘土やシルトに付着し、各種汚染物質が付着した粘土やシルト、さらには細かい砂や礫が一部混じって浮遊する。そこで、底に沈んだままの石分（７５ｍｍ以上）や礫（２〜７５ｍｍ）、砂（０．０７５〜２ｍｍのうち大きめの砂）の沈着層の上面部近傍、攪拌洗浄槽１の横壁面に泥水の取り出し口を設けることにより、洗浄した石や礫、砂から泥水が分離して取り出される。洗浄水は、例えば図示のように攪拌洗浄槽１の底部近傍から注入を行うと、土砂の洗浄効率を上げることができる。
【００３２】
したがって、この１段目のスクリーン２１では、まず、礫や砂からなる粗粒分が分離され、５μｍ以下の粘土やそれより大きい７５μｍ以下のシルト、さらにそれよりやや大きい７５μｍを越える細砂を含む泥水が取り出される。そして、２段目のスクリーン２１′では、７５μｍを越える細砂が分離され、粘土やそれより大きい７５μｍ以下のシルトを含む泥水が取り出される。
【００３３】
麻布濾過ユニット４は、例えば図２（Ｄ）の断面図に示すように上端近傍の周面に複数
の孔ｈが設けられ底面が底板４４で塞がれた内円筒４２と、底面の底板４５に泥水の出口とする複数の孔ｈが設けられた外円筒４１と、内円筒４２の底面を含む外周と外円筒４１の底面を含む内周との間に濾過材が充填された濾過層とからなる。上蓋３は、この濾過槽の上部を塞ぐものである。内円筒４２の上端を泥水の入口としている。このように麻布濾過層では、外円筒４１との間で、内円筒４２の外周に沿った円筒状に、また底面に一定の厚さの濾過層を形成している。濾過材は、複数の麻布を細かく切断した小片が用いられ、これが外円筒４１と内円筒４２との間の麻布濾過層に充填して用いられる。
【００３４】
麻布濾過ユニット４では、泥水が上端の入口から内円筒４２の上端近傍の周面に設けられた複数の孔ｈを通して麻布濾過層に加圧送水される。この泥水は、麻布濾過層において、内円筒４２の外周と外円筒４１の内周との間を上端近傍から円筒状の軸方向の下方へ流れる。そして、底面一体の層を通して濾過され、外円筒４１の底面に設けられた複数の孔ｈを出口として濾水が排出される。このように麻布濾過層では、比較的目の粗い麻布片の小片を濾過材とし、円筒状の軸方向の上方から下方へ、そして、底部の層まで、長い濾過経路と大きい濾過容量（容積）を確保することができる。そのため、泥水に含まれた微粒分のうち比較的大きめの成分を麻布片により目詰まりすることなく、また、濾過速度を落とすことなく効率よく捕捉することができる。
【００３５】
紙粉麻糸濾過ユニット６は、図２に示した麻布濾過ユニット４と基本的に構造が同じであるが、紙粉と麻糸を外円筒と内円筒との間に充填することにより、円筒状の紙粉麻糸濾過層を形成している。
【００３６】
濾過材は、紙粉に、短かく切断した麻糸片を混合したものである。紙粉は、古紙を煮込んで乾燥したものであり、雑誌やダンポールその他の古紙でもよいが、各種の古紙を試用した中で、特に、新聞紙で好ましい結果が得られている。麻糸片は、２〜３ｍｍΦの麻糸を１５〜２０ｍｍの長さに切断したものである。紙粉と麻糸片との割合は、紙粉の割合が大きくなると、目詰まりが生じやすく濾過速度が著しく低下し、逆に麻糸片の割合が大きくなると、微粒分が抜けやすく濾過効率が落ちるので、重量比で紙粉３に対して麻糸片１が好ましい。
【００３７】
紙粉麻糸濾過ユニット６では、泥水（麻布濾過ユニット４を通して濾過された濾水）が麻布濾過ユニット４と同様に、内円筒６２の上端の入口から周面に設けられた複数の孔ｈを通して紙粉麻糸濾過層に加圧送水される。この泥水は、紙粉麻糸濾過層においても、内円筒（４２）の外周と外円筒（４１）の内周との間を上端近傍から円筒状の軸方向の下方へ流れる。そして、底面一体の層を通して濾過され、外円筒（４１）の底面に設けられた複数の孔ｈを出口として濾水が排出される。このように紙粉麻糸濾過ユニット６において、円筒状の長い濾過経路と大きい濾過容量の紙粉麻糸濾過層を使うことにより、泥水に含まれた微粒分の粘土が紙粉と麻糸片によく絡みつき効率よく捕捉することができる。
【００３８】
紙粉麻糸濾過層の濾過材が紙粉だけの場合には、目詰まりが生じて濾過速度が著しく低下してしまうが、紙粉に麻糸を混合することにより、それぞれのさらに細い繊維成分に微粒分が絡み付き吸着して捕捉を良好にし、濾過速度の低下を軽減するとともに微粒分の高い捕捉効率（濾過効率）を実現することができる。
【００３９】
〔実施例〕
図３は本考案に係る土壌洗浄処理システムの処理の流れを示す図である。セシウム１３７（Ｃｓ−１３７）が１１０００ベクレル、セシウム１３４（Ｃｓ−１３４）が７０００ベクレルの放射能濃度が検出された３０００ｋｇの汚染土壌について、図３に示すステップＳ１〜Ｓ５の流れに沿って本実施の形態の土壌洗浄処理システムにより洗浄処理を行った。
【００４０】
その詳細は、
洗浄水……１５，０００ｃｃ
攪拌洗浄槽容量……２２，０００ｃｃ
攪拌時間……１５分
メッシュ分離槽……１０４、２００メッシュ（通常、医療用として使用されている）
麻布濾過ユニット
外筒    高さ……５００ｍｍ
径……７５ｍｍ
底部孔……５ｍｍφ、１０ｍｍ間隔
内筒    高さ……５０ｍｍ
径……２５ｍｍ
周囲孔……５ｍｍφ、１０ｍｍ間隔
麻布片  幅……１５０ｍｍ、長さ……５００ｍｍ、充填量……７６０ｇ
紙粉麻糸濾過ユニット
外筒    高さ……３００ｍｍ
径……７５ｍｍ
底部孔……５ｍｍφ、１０ｍｍ間隔
内筒    高さ……２４０ｍｍ
径……２５ｍｍ
周囲孔……５ｍｍφ、１０ｍｍ間隔
紙粉    原紙……新聞紙
充填量……１８０ｇ
麻糸片  サイズ……２ｍｍφ、長さ……２０ｍｍ
充填量……６０ｇ
洗浄結果
セシウム１３４
洗浄後の土砂……７４０ベクレル
排水……４ベクレル以下（基準値以下）
セシウム１３７
洗浄後の土砂……１１００ベクレル
排水……４ベクレル以下（基準値以下）
上記実施例に基づく知見として、以下のことが確認できた。
【００４１】
本実施例において、汚染土壌に洗浄水を注入し、攪拌、混合することにより、汚染土壌中の放射性物質は、土壌中の微粒分に付着させて泥水として取り出すことができ、泥水濾過装置を通して濾過すると、泥水濾過装置に効率よく捕捉できることが確認された。
【００４２】
再生紙やダンボールの紙粉より、新聞紙の紙粉で、最も効率よく汚染微粒分を付着させ捕捉回収することができた。濾過ユニットは、各種の形状と比較して、円筒状の軸方向の上方から下方へ、そして、底面を使って、長い濾過経路と大きい濾過容量（容積）を確保する形状とし、麻布を濾過材に用いた第１段目の濾過ユニット、紙粉と麻糸片を混合して濾過材に用いた第２段目の濾過ユニットを順次通すことにより、高い濾過効率と濾過速度を実現できた。
【００４３】
近年、東日本大震災を端緒として発生した東京電力福島第１原子力発電所の事故以来、放射性物質による汚染の除染が問題となっている。放射性物質による汚染土壌を除染のために剥ぎ取った汚染土壌（土砂）の処分の問題もその１つである。この汚染土壌に対し本実施の形態を適用すると、土壌の洗浄、除染、汚染廃棄物の減量化を効率よく行うことができる。また、農地の連作障害に対し本実施の形態を適用すると、その障害の改善に有効
であることも確認できた。
【００４４】
すなわち、このような汚染土壌の汚染物質は、本実施の形態の土壌洗浄処理システムにおいて、洗浄水を注入して攪拌すると、石や砂、礫よりも小さいシルトや粘土などの微粒分に付着する。そして、泥水の中に浮遊して取り出される。その結果、泥水が取り出され残った土壌は洗浄された土壌として再利用することができる。他方、泥水は、麻布濾過ユニット４と紙粉麻糸濾過ユニット６を通して濾過することにより、シルトや粘土などの微粒分がそれらに付着した汚染物質とともに分離され、濾過水も洗浄水として再利用することができる。
【００４５】
なお、本考案は、上記実施の形態に限定されるものではなく、種々の変形が可能である。例えば上記実施の形態では、攪拌洗浄槽１、メッシュ分離槽２、２′を通して泥水を取り出したが、攪拌洗浄槽１にメッシュ分離槽２、２′で分離した砂や礫などを戻して攪拌洗浄槽１の土砂層とともに再度攪拌し、メッシュ分離槽２、２′で分離処理を行うようにしてもよい。また、攪拌機１１は、縦軸タイプを示しているが、横軸タイプであってもよいことはいうまでもない。また、上記実施の形態では、泥水濾過装置を攪拌洗浄槽及びメッシュ分離槽と組み合わせて汚染土壌の洗浄処理のシステムに用いたが、例えば汚染物質を含む水として、水田への引き水を泥水濾過装置に通すことにより、水田への引き水の濾過、浄化を行うように用いてもよい。その場合、泥水濾過装置は、２段ではなく、いずれか１段の濾過ユニットのみを用いるようにしてもよい。このようにメッシュ分離槽や濾過ユニットは、それぞれ２段に縦続連結したが、汚染の程度や状況に応じていずれか一段のみを用いるようにしてもよい。
【符号の説明】
【００４６】
１…攪拌洗浄槽、２と２′…メッシュ分離槽、３と５…加圧ポンプ、４…麻布濾過ユニット、６…紙粉麻糸濾過ユニット、１１…攪拌機、１２…土砂層、１３…泥水層、２１と２１′…メッシュ、２２と２２′…分離層、４１…外円筒、４２…内円筒、４３…上蓋、４４…内円筒底板、４５…外円筒底板、ｈ…孔
【図１】
0003181224.tif 000003
【図２】
0003181224.tif 000004
【図３】
0003181224.tif 000005